(57)【要約】【課題】アナログ式とディジタル式の両方式を採用したハイブリッド型の記録計において、アナログ式の記録状態を筐体外部から容易に確認すること。【解決手段】チャート紙に記録するアナログ式及び測定データを保存・表示するディジタル式の２方式で記録するハイブリッド型の記録計１において、扉２にアナログ式記録部１０における記録状態と、チャート紙の紙送り状態を外部から視認可能とするための窓２ａを設けた構成とした。これにより、扉２を開扉することなくアナログ式記録部１０における記録手段１１の記録状態と、紙送り機構１２によるチャート紙の紙送り状態とを確認することができる。【選択図】図１
2018163001.tif 000002
【特許請求の範囲】
【請求項１】
筐体内に、
チャート紙を一方向に搬送する紙送り機構と、
前記紙送り機構によって搬送された前記チャート紙の記録面上に被測定対象の物理量の変化を示す測定データを経時的に記録する記録手段と、
を有する第１の記録部と、
前記被測定対象から取得した前記測定データを保存する記憶部と、
前記保存した前記測定データを任意にグラフィック表示する表示部と
を有する第２の記録部と、
を備え、
前記筐体の前面には、前記記録手段による前記チャート紙への記録状態と、前記紙送り機構による前記チャート紙の紙送り状態とが視認可能なように、前記第１の記録部と対向する位置に窓部を形成した扉が設けられていることを特徴とする記録計。
【発明の詳細な説明】
【技術分野】
【０００１】
本発明は、例えば熱電対や測温抵抗体などの温度検出素子からの温度信号、接点信号、電圧信号などによる外部からの計測データを記録する記録計に関するものである。
【背景技術】
【０００２】
下記特許文献１には、被測定対象の温度、電流、電圧又は歪み等の物理量の変化を示す波形などを長尺状の記録紙に印字するアナログ式と、物理量の変化を示すデータをメモリに記憶して記憶したデータに基づく波形が表示装置の画面上に表示するディジタル方式の両方式を用いたハイブリッド型の記録計について開示されている。この装置により、ユーザはチャート紙に測定データがリアルタイムに印字されることでデータ改竄が防止できるというアナログ式の利点と、測定結果の最大値又は最小値などを示す特定のデータを容易に探索して表示画面上に表示が可能なディジタル方式の利点の両方を享受することができる。
【先行技術文献】
【特許文献】
【０００３】
【特許文献１】特開２０１４−１４９２６５号公報
【発明の概要】
【発明が解決しようとする課題】
【０００４】
ところで、特許文献１に開示される記録計において、印字部の動作異常や搬送中のチャート紙の紙詰まり、紙切れなどデータ記録時に問題が発生したまま測定が継続されると、正確な記録が行えないため、再測定とならないようユーザはアナログ式の記録状態を定期的に確認する必要がある。
【０００５】
しかしながら、特許文献１の記録計では、アナログ式の記録状態を確認する度に機器前面に設けられた扉を開扉しなければならず確認作業が煩雑であった。また、扉を開扉してアナログ式の記録状態を確認しなければならないため、開扉時にはアナログ式とディジタル式の両方の測定データを同時に確認することができないという問題もある。
【０００６】
そこで、本発明は、上記課題を鑑みてなされたものであり、アナログ式とディジタル式の両方式を採用した記録計において、アナログ式の記録状態を筐体外部から容易に確認することができる記録計を提供することを目的としている。
【課題を解決するための手段】
【０００７】
上記した目的を達成するため、本発明に係る第１の態様は、筐体内に、
チャート紙を一方向に搬送する紙送り機構と、
前記紙送り機構によって搬送された前記チャート紙の記録面上に被測定対象の物理量の変化を示す測定データを経時的に記録する記録手段と、
を有する第１の記録部と、
前記被測定対象から取得した前記測定データを保存する記憶部と、
前記保存した前記測定データを任意にグラフィック表示する表示部と
を有する第２の記録部と、
を備え、
前記筐体の前面には、前記記録手段による前記チャート紙への記録状態と、前記紙送り機構による前記チャート紙の紙送り状態とが視認可能なように、前記第１の記録部と対向する位置に窓部を形成した扉が設けられていることを特徴とする、記録計である。
【発明の効果】
【０００８】
本発明によれば、窓部を通じて第１の記録部の記録状態や紙送り状態が常に確認可能となるため、チャート紙の紙詰まり、紙切れや記録手段の動作不良などの不具合が生じたとしても即座に対処することができる。また、扉に窓部が形成されることで、第１の記録部によるチャート紙への記録状態と、第２の記録部による測定データのトレンド表示とを、扉を開扉せずに確認することができる。
【図面の簡単な説明】
【０００９】
【図１】本発明に係る記録計の概略正面図である。
【図２】同記録計の概略断面図である。
【発明を実施するための形態】
【００１０】
以下、本発明を実施するための形態について、添付した図面を参照しながら詳細に説明する。なお、下記実施形態によりこの発明が限定されるものではなく、この形態に基づいて当業者などによりなされる実施可能な他の形態、実施例及び運用技術などは全て本発明の範疇に含まれる。
【００１１】
また、添付する各図を参照した以下の説明において、方向乃至位置を示すために上、下、左、右の語を使用した場合、これはユーザが各図を図示の通りに見た場合の上、下、左、右に一致する。さらに、本明細書に添付する図面においては、図示と理解のしやすさの便宜上、適宜縮尺、縦横の寸法比、形状などについて、実物から変更し模式的に表現される場合があるが、あくまで一例であって、本発明の解釈を限定するものではない。
【００１２】
本発明に係る記録計１は、各種センサで構成される測定部１００で測定した被測定対象の物理量の変化を示すデータ（温度、電流、電圧又は歪みなどのデータ、以下、これらを総称して「測定データ」という）を、チャート紙に記録するアナログ式及び測定データを保存・表示するディジタル式の２方式で記録するハイブリッド記録計である。
【００１３】
記録計１は、機器前面に開閉自在な扉２を備えた筐体１ａ内に、記録媒体である長尺なチャート紙に被測定対象から測定した測定データを記録する第１の記録部であるアナログ式記録部１０と、取得した測定データを保存するとともに画面上にチャート表示する第２の記録部であるディジタル式記録部２０とを備えている。また、記録計１は、外部電源や一次電池又は二次電池などの内部電源から記録計１の駆動に必要な駆動電源を各部に供給する電源部３０を備えている。
【００１４】
本装置において、アナログ式記録部１０は、筐体１ａの上方に配置され、ディジタル式記録部２０は、アナログ式記録部１０の下方に配置されている。これは、アナログ式記録部１０で記録された記録済みのチャート紙を収容する収容部１３の容積を確保するためである。
【００１５】
扉２は、筐体１ａの前面に回動軸（図示せず）を介して機器内部が開放されるように開閉自在に設けられ、チャート紙の補充や記録部材１１ｂのインク交換時などのメンテナンスを行うときなどに開閉される。また、扉２には、アナログ式記録部１０の記録手段１１による記録状態（すなわち、チャート紙に対する記録部材１１ｂの波形描画若しくは打点状態）やチャート紙の紙送り状態などを機器外部からリアルタイムで視認可能とするため、透明性を有する材料（ガラスやアクリルなどの透明樹脂）からなる窓部２ａがアナログ式記録部１０と対向する位置に形成されている。
【００１６】
図１に示すように、窓部２ａは、扉２の上部において幅方向に長尺な矩形状であり、記録手段１１の記録状態やチャート紙の紙送り状態の他、アナログ式記録部１０に取り付けられるスケールも視認できるサイズで形成されている。また、扉２の下部（窓部２ａの下方）には、後述するディジタル式記録部２０の表示部２１が配置されている。
【００１７】
このように、本発明の記録計１は、扉２に形成された窓部２ａからアナログ式記録部１０によるチャート紙に対する記録状態（例えば記録手段１１がペンである場合は、チャート紙に対する波形描画の状態）と、紙送り機構１２によるチャート紙の紙送り状態を同時に確認することができる。よって、アナログ式記録部１０の記録状態や紙送り状態がリアルタイムで確認可能となるため、チャート紙のジャムや記録手段１１の動作不良などの不具合が生じたとしても即座に対処することができる。
【００１８】
また、扉２に窓部２ａが形成されることで、扉２の上方にアナログ式記録部１０によるチャート紙への記録状態と、その下方にディジタル式記録部２０による測定データのトレンド表示とが同時に視認可能となり、従来品のように確認作業のための扉２の開閉動作が不要となる。
【００１９】
アナログ式記録部１０は、従来の記録計に搭載されるアナログ方式の記録部と同様であり、その構成としてチャート紙の記録面（表面）に測定データを記録する記録手段１１と、チャート紙を一方向に搬送する紙送り機構１２と、測定データが記録された記録済み用紙を収容する収容部１３とを備えている。
【００２０】
なお、アナログ式記録部１０の各部の駆動制御については、後述する制御部２３が行うが、アナログ式記録部１０専用の制御部を備えた構成としてもよい。
【００２１】
また、アナログ式記録部１０は、測定データに応じたスケール板１４が着脱自在に設けられており、このスケール板１４の板上に設けられた指針１１ｃが記録手段１１の移動に伴って移動することで測定データの指標となる。
【００２２】
記録手段１１は、チャート紙の送り方向である副走査方向と直交する主走査方向（図１における左右方向又は図２における手前／奥行き方向）に沿ってチャート紙に対して相対的に移動可能なキャリッジ１１ａと、キャリッジ１１ａに設けられ打点式で用いられる打点子やペン式で用いられるペンなどのチャート紙に測定データを記録する記録部材１１ｂとで構成される。
【００２３】
キャリッジ１１ａは、摺動軸に沿ってチャート紙の幅方向と同幅程度まで移動可能であり、測定部１００で測定された測定データに基づいて幅方向に所定量移動すると、この移動に伴って支持する記録部材１１ｂも幅方向に左右移動する。キャリッジ１１ａの移動により記録部材１１ｂが左右に移動することで、所定速度で搬送されるチャート紙の記録面上に測定データが記録される。
【００２４】
記録部材１１ｂは、チャート紙に測定データを記録するためのインクを収容するインク収容部を具備し、被測定対象や入力チャネルの数に応じて単数又は複数設けられている。記録部材１１ｂは、チャート紙に対する記録方法が打点式の場合は測定データ記録用の打点子で構成され、ペン式の場合は測定データ記録用のペンで構成される。記録部材１１ｂは、所定速度で搬送されるチャート紙上をキャリッジ１１ａの移動に連れて移動して測定データの変化を連続又は断続的に記録する。
【００２５】
紙送り機構１２は、チャート紙を一方向に回転させながら記録部材１１ｂと当接させた状態で収容部１３まで搬送する。紙送り機構１２による搬送速度は、予め設定された搬送速度（デフォルト値）に基づいて搬送しても、測定データや測定時間（期間）に基づいて適宜規定してもよい。
【００２６】
収容部１３は、紙送り機構１２によって搬送された記録済みのチャート紙を収容する容器であり、図２に示すように搬送された記録済みのチャート紙はつづら折りで順次収納される。
【００２７】
ディジタル式記録部２０は、従来の記録計に搭載されるディジタル方式の記録部と同様であり、その構成として測定データをグラフィック表示する表示部２１と、測定データを記録する記憶部２２と、表示部２１の表示制御などを行う制御部２３と、測定や表示内容に基づく各種設定などを行う設定部２４とで構成されている。
【００２８】
表示部２１は、液晶ディスプレイや無機／有機ＥＬディスプレイなどの表示機器で構成され、制御部２３の制御により、測定データをアナログ式記録部１０による記録状態に合わせてトレンド表示する。また、表示部２１は、取得した測定データのうち所望するデータを過去に遡って表示させたり、表示中の測定データのうち任意に選択したデータを並列又は重ね合わせて表示させたりすることもできる。このように、表示部２１に過去の任意の測定データを表示することができるため、記録済みのチャート紙を広げて確認する手間を省くことができる。
【００２９】
記憶部２２は、例えばＲＯＭ（Read Only Memory）、ＲＡＭ（Random Access Memory）等の各種半導体メモリからなる主記憶装置や、例えばフラッシュメモリやＨＤＤ（Hard Disk Drive ）等の補助記憶装置で構成され、測定部１００で測定された測定データや、記録計１の各部を駆動するのに必要なコンピュータプログラムやアプリケーションソフトウェアなどを記憶する。
【００３０】
制御部２３は、ＣＰＵやＲＯＭ、ＲＡＭなどのプロセッサで構成され、測定部１００から物理量に対応するアナログ信号を入力されると、この信号を所定処理して測定データとして記憶部２２に記憶させる。また、制御部２３は、上記記憶部２２に対するデータ記録処理の他、表示部２１の表示制御など、ディジタル式記録部２０の各部の駆動制御を行っている。
【００３１】
なお、本実施形態において、制御部２３は、ディジタル式記録部２０の構成要件として説明しているが、ディジタル式記録部２０の駆動制御の他、上述したアナログ式記録部１０の駆動制御（例えば、記録手段１１ｂの制御や紙送り機構１２の制御）などの記録計１を構成する各部の駆動制御を行っている。
【００３２】
設定部２４は、設定キーや上下左右キーなどの各種ハードウェアキー、ロータリーノブなどの入力機器で構成され、ユーザが各種設定を行う際に所定操作されると、その設定内容に基づく操作信号が制御部２３に出力される。
【００３３】
なお、表示部２１に位置入力装置を搭載してタッチパネル機能を具備した構成とする場合は、前述した操作キーなどのハードウェアキーではなくタッチパネル機能を設定部２４として利用してもよい。
【００３４】
以上説明したように、上述した本実施形態の記録計１は、扉２にアナログ式記録部１０における記録状態と、チャート紙の紙送り状態を外部から視認可能とするための窓部２ａを設けているため、扉２を開扉することなくアナログ式記録部１０における記録手段１１の記録状態（すなわち、チャート紙に対する記録部材１１ｂの波形描画若しくは打点状態）と、紙送り機構１２によるチャート紙の紙送り状態とをリアルタイムで確認することができる。よって、測定データの記録中にチャート紙の紙詰まり、紙切れや記録手段１１による動作不良が起きたとしても迅速に対応することができる。
【００３５】
また、扉２にアナログ式記録部１０の記録状態が確認可能な窓部２ａを形成することで、アナログ式記録部１０によるチャート紙の記録状態と、ディジタル式記録部２０による測定データのトレンド表示を同時に確認することができる。
【符号の説明】
【００３６】
１…記録計（１ａ…筐体）
２…扉（２ａ…窓部）
１０…第１の記録部であるアナログ式記録部
１１…記録手段
１２…紙送り機構
１３…収容部
２０…第２の記録部であるディジタル式記録部
２１…表示部
２２…記憶部
２３…制御部
２４…設定部
【図１】
2018163001.tif 000003
【図２】
2018163001.tif 000004